(57)【要約】【目的】  番組情報の取得処理時に視聴中の番組映像が表示されないといった状態を極力解消することができるディジタル放送受信装置を提供する。【構成】  制御部８は、受信番組の映像表示中にＥＰＧボタンの押下を検出すると、現在受信中の番組映像を映像記憶用メモリ１０に一時的に格納するための処理を開始すると共に、記憶中及び記憶後の映像を小出しで（コマ送り的に）、映像表示させる。制御部８は、記憶処理終了後に各局ＳＩ取得のためのチャンネル切替を行い、ＳＩ取得後、ユーザ視聴チャンネルに戻るための処理を行う。制御部８は、ユーザ視聴チャンネルに戻ったとき、再び、前述した受信映像データの記憶処理とコマ送り的な映像表示を開始し、次の局のＳＩを取得すべくチャンネル切替処理を行う。以後、これら処理を繰り返す。【選択図】        図１
2005286688.tif 000002
【特許請求の範囲】
【請求項１】
ディジタル放送波に載せられている番組情報を、チャンネルを順次に自動的に切り替えていくことにより、各チャンネルで取得していくディジタル放送受信装置において、ユーザが番組情報取得を指示した時点のユーザ視聴チャンネルの受信番組映像を一時的に記憶する記憶手段と、前記番組情報取得のためのチャンネル切替中に前記記憶した番組映像の画面表示を実行する表示手段と、を備えたことを特徴とするディジタル放送受信装置。
【請求項２】
請求項１に記載のディジタル放送受信装置において、一又は二以上の切替チャンネルで番組情報を取得した後にユーザ視聴チャンネルに復帰して受信番組映像を再び記憶手段に一時的に記憶させると共に、次の番組情報取得のための次チャンネル切替中に前記記憶した番組映像の画面表示を前記表示手段にて行わせるように構成されたことを特徴とするディジタル放送受信装置。
【請求項３】
請求項１又は請求項２に記載のディジタル放送受信装置において、ユーザ視聴チャンネルの受信状態から他チャンネルへの切替実行を幾分遅延させ、遅延時間中に受信した受信番組映像を記憶手段に記憶し、チャンネル切替中に前記遅延時間よりも長い時間をかけて、前記記憶した受信番組映像を動画表示することを特徴とするディジタル放送受信装置。
【請求項４】
請求項１乃至請求項３のいずれかに記載のディジタル放送受信装置において、ディジタル放送波から各種情報を分離するための第１分離部及び第２分離部を備え、両分離部に選局されたディジタル放送波のトランスポートストリームを入力し、第１分離部は通常の番組受信に好適な設定とされ、第２分離部は前記番組情報のパケットを取得するのに好適な設定とされ、番組情報取得のためのチャンネル切替時に利用されるように構成されたことを特徴とするディジタル放送受信装置。
【発明の詳細な説明】
【技術分野】
【０００１】
この発明は、ディジタル放送を受信するディジタル放送受信装置に関する。
【背景技術】
【０００２】
衛星ディジタル放送や地上ディジタル放送を受信する放送受信装置は、専用のアンテナや地上波用アンテナを通して受け取った複数の放送波のなかから任意の放送波をディジタルチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。
【０００３】
また、ディジタル放送では、放送番組の番組内容や放送時間などの情報である電子番組ガイド（ＥＰＧ：Ｅｌｅｃｔｒｏｎｉｃ  Ｐｒｏｇｒａｍ  Ｇｕｉｄｅ）情報をサービス情報（ＳＩ：Ｓｅｒｖｉｃｅ  Ｉｎｆｏｒｍａｔｉｏｎ）として放送信号に載せている。そして、放送受信装置は前記ＳＩを放送信号から分離し、ＯＳＤ（オンスクリーンディスプレイ）機能によってＥＰＧ画面を表示するようになっている（特許文献１参照）。
【特許文献１】特開２００２−２９０８８７号公報  ディジタル放送を受信する放送受信装置は、図５に示すように、ディジタルチューナ２、ＴＳ分離部（デマルチプレクサ）３、映像音声処理部４、映像音声出力部５等を備える。ＥＰＧ生成部７は、制御部（ＣＰＵ）９から出力指示された文字情報や色情報に基づくＥＰＧ映像データをＯＳＤ機能を用いて受信映像データに組み込む処理を行う。
【発明の開示】
【発明が解決しようとする課題】
【０００４】
ところで、衛星ディジタル放送では、各放送局が他局のＥＰＧ情報を送出することとしているが、地上ディジタル放送では、各放送局は自局のＥＰＧ情報のみを送出する。このため、地上ディジタル放送受信機は、チャンネルを順次に切り替え、各選局チャンネルにおいてＳＩを取得しなければならない。しかしながら、かかる処理（特に、或るチャンネルの受信状態から他のチャンネルの受信のための受信設定に変更する処理）には多くの時間が必要となり、更に、この処理の時間中は画面に映像を表示できない状態となる。従って、全局のＥＰＧ情報の取得が完了するまで、ユーザは映像が表示されない画面を見ながら待たなければならない。
【０００５】
この発明は、上記の事情に鑑み、番組情報（特に、地上ディジタル放送における番組情報）の取得処理時に視聴中の番組映像が表示されないといった状態を極力解消することができ、更には、この取得処理に要する時間をできるだけ短くすることができるディジタル放送受信装置を提供することを目的とする。
【課題を解決するための手段】
【０００６】
この発明のディジタル放送受信装置は、上記課題を解決するために、ディジタル放送波に載せられている番組情報を、チャンネルを順次に自動的に切り替えていくことにより、各チャンネルで取得していくディジタル放送受信装置において、ユーザが番組情報取得を指示した時点のユーザ視聴チャンネルの受信番組映像を一時的に記憶する記憶手段と、前記番組情報取得のためのチャンネル切替中に前記記憶した番組映像の画面表示を実行する表示手段と、を備えたことを特徴とする。
【０００７】
上記の構成であれば、番組情報取得のためのチャンネル切替中には記憶しておいたユーザ視聴チャンネルの番組映像の画面表示が継続されるので番組情報（特に、地上ディジタル放送における番組情報）の取得処理時に視聴中の番組映像が表示されないといった状態を極力解消することができる。
【０００８】
上記構成のディジタル放送受信装置において、一又は二以上の切替チャンネルで番組情報を取得した後にユーザ視聴チャンネルに復帰して受信番組映像を再び記憶手段に一時的に記憶させると共に、次の番組情報取得のための次チャンネル切替中に前記記憶した番組映像の画面表示を前記表示手段にて行わせるように構成されていてもよい。また、ユーザ視聴チャンネルの受信状態から他チャンネルへの切替実行を幾分遅延させ、遅延時間中に受信した受信番組映像を記憶手段に記憶し、チャンネル切替中に前記遅延時間よりも長い時間をかけて、前記記憶した受信番組映像を動画表示するようになっていてもよい。
【０００９】
また、これら構成において、ディジタル放送波から各種情報を分離するための第１分離部及び第２分離部を備え、両分離部に選局されたディジタル放送波のトランスポートストリームを入力し、第１分離部は通常の番組受信に好適な設定とされ、第２分離部は前記番組情報のパケットを取得するのに好適な設定とされ、番組情報取得のためのチャンネル切替時に利用されるように構成されていてもよい。かかる構成であれば、チャンネル切り替えの度に分離部の設定を変更するのに比べて、番組情報の取得に要する時間を短くすることが可能となる。
【発明の効果】
【００１０】
この発明によれば、番組情報（特に、地上ディジタル放送における番組情報）の取得処理時に視聴中の番組映像が表示されないといった状態を極力解消することができ、更には、この取得処理に要する時間をできるだけ短くすることができるという効果を奏する。
【発明を実施するための最良の形態】
【００１１】
以下、この発明の実施形態を図１及び図２に基づいて説明するが、ここでは地上ディジタル放送を受信する場合を例示している。図１はこの実施形態の放送受信装置を示したブロック図であり、説明の便宜上、図３に示した従来の放送受信装置における要素と同一の要素には同一の符号を付記している。
【００１２】
アンテナ１は、地上波放送局から送られてくるディジタル放送を受信する。ディジタルチューナ２は、映像・音声データを含む高周波ディジタル変調信号のうちから特定周波数の信号を取り出す。また、ディジタルチューナ２は、選択されたディジタル変調信号を復調してトランスポート・ストリーム（ＴＳ）を出力すると共に、ディジタルデータの誤りを検出して訂正する。
【００１３】
ＴＳ分離部３は、出力されたトランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、ＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離する。
【００１４】
ＴＳ分離部３により分離されたビデオストリーム及びオーディオストリームは映像音声信号処理部４に供給される。映像音声信号処理部４におけるビデオデコーダは、入力された可変長符号を復号して量子化係数や動きベクトルを求め、逆ＤＣＴ変換や動きベクトルに基づく動き補償制御等を行って映像データを出力する。また、映像音声信号処理部４におけるオーディオデコーダは、入力された符号化信号を復号して音声データを生成する。
【００１５】
映像音声出力部５は、受信映像データ及び音声データを例えばＮＴＳＣ映像信号に変換して出力する。また、映像音声出力部５はＯＳＤ（オンスクリーンディスプレイ）回路を有する。ＯＳＤ回路は、ＥＰＧ生成部７から出力指示されたＥＰＧ用の文字情報や色情報に基づく映像データを生成する。そして、映像音声出力部５は、ＯＳＤ回路から出力された映像データを受信映像データに組み込む処理を行う。これにより、ＥＰＧ（Ｅｌｅｃｔｒｏｎｉｃ  Ｐｒｏｇｒａｍ  Ｇｕｉｄｅ）画面表示が実現される。
【００１６】
ＳＩ処理部６は、ＴＳ分離部３にて分離されたＳＩを受け取り、ＥＰＧに利用する情報に変換して制御部（ＣＰＵ）８に与える。
【００１７】
映像記憶用メモリ１０には、映像音声信号処理部４から出力される受信映像データのうち、所定時間分（遅延時間分）の受信映像データが記憶される。映像記憶用メモリ１０は、その構造等が限定されるものではなく、フィールドメモリなどの内蔵の半導体メモリでもよいし、ハードディスクやメモリカードなどの外付け記憶媒体でもよい。
【００１８】
ユーザＩ／Ｆ（インターフェイス）部９は、例えば、図示しないリモコン送信機からの赤外線を受ける受光部、或いは受信装置本体に設けられたスイッチ類である。ユーザがリモコン送信機等を操作したことによる情報は、ユーザＩ／Ｆ部９を介して制御部８に与えられる。前記リモコン送信機には、ＥＰＧボタンが設けられており、ユーザがＥＰＧ画面表示を望むときには、ＥＰＧボタンを押すことになる。
【００１９】
制御部８は、ＥＰＧボタンの押下を検出したとき、ＳＩ処理部６からの情報に基づいて所定のレイアウトによるＥＰＧ画面用のデータを生成してＥＰＧ生成部７に与える。ここで、地上ディジタル放送の場合は、従来項でも述べたが、チャンネルを順次に切り替え、各選局チャンネルにおいてＳＩを取得しなければならない。以下、制御部８による各局チャンネルのＳＩ取得処理について説明していく。
（１）制御部８は、受信番組の映像表示中にＥＰＧボタンの押下を検出すると、現在受信中の番組映像を映像記憶用メモリ１０に一時的に格納するための処理を開始する。ここで、記憶する映像は１フィールド分又は１フレーム分とする（静止画とする）こととしてもよいが、この実施形態では、所定時間分（所定遅延時間分）の映像データを記憶することとする。この所定時間は、映像記憶用メモリ１０の容量と各チャンネルの番組情報の取得に要する時間との兼ね合い等で決められるが、ここでは、この所定時間を例えば１０秒とする。また、制御部８は現在受信中のチャンネル（ユーザ視聴チャンネル）の番号を記憶しておく。
（２）制御部８は、受信中の番組映像の記憶処理を開始すると共に、記憶中及び記憶後の映像を小出しで（コマ送り的に）、映像表示させるように、前記メモリ１０に対する映像データ読出指令を行う。映像音声信号処理部４は、前記メモリ１０への映像データ供給と共に、メモリ１０から読み出された映像データを映像音声出力部５に供給する処理を行う。かかる処理の場合、ＥＰＧボタンを押下したときから表示画像はコマ送り的に表示される。そして、１０秒間分の映像を例えば９０秒間かけてコマ送り的に表示する。
（３）制御部８は、ＥＰＧボタンが押下されてから１０秒後に、各局ＳＩ取得のためのチャンネル切替を行う。すなわち、ディジタルチューナ２に対してチャンネルのチューニング情報を与えると共に、ＴＳ分離部３に対してはＳＩ取得のための設定情報を与える。チャンネルの切替は、例えば、チャンネル番号の小さい順などで行う。
（４）制御部８は、切り替えたチャンネルにおいてＳＩを取得できたときには、ユーザ視聴チャンネルに戻るためのチャンネル切替処理を行う。すなわち、ディジタルチューナ２に対してユーザ視聴チャンネルのチューニング情報を与えると共に、ＴＳ分離部３に対しては映像パケット等取得のための設定情報を与える。ＳＩの取得に例えば１８０秒かかったとすると、前記９０秒間かけて記憶映像を表示した後は、最終映像の静止状態のまま９０秒が経過することになる。
（５）制御部８は、ユーザ視聴チャンネルに戻ったとき、再び、前述した受信映像データの記憶処理とコマ送り的な映像表示を開始し、次の局のＳＩを取得すべくチャンネル切替処理を行う。以後、これら処理を繰り返す。各局ＳＩ取得のためのチャンネル切替においては、既に有局判定されているチャンネルを対象とする切替、或いは、予めユーザによって選択されているチャンネルのみを対象とする切替等がある。
【００２０】
上記の例では、ＥＰＧボタンが押下されると同時にコマ送り的な映像表示を開始することとしたが、その他、ＥＰＧボタンが押下されて１０秒間は静止画表示を行い、１０秒経過後にコマ送り的な映像表示を開始するようにしてもよい。また、ＳＩ取得のためのチャンネル選択→ユーザ視聴チャンネル→ＳＩ取得のための次のチャンネル選択→ユーザ視聴チャンネルのごとく、一チャンネルごとに切り替えを行ったが、これに限らず、ＳＩ取得のための１つ目のチャンネル選択→ＳＩ取得のための２つ目のチャンネル選択→ユーザ視聴チャンネル→ＳＩ取得のための３つ目のチャンネル選択→ＳＩ取得のための４つ目のチャンネル選択→ユーザ視聴チャンネルのごとく、チャンネル切替を行うようにしてもよいし、或いは、ＳＩ取得のために予定されている全てのチャンネル選択→ユーザ視聴チャンネルのごとく、チャンネル切替を行うようにしてもよい。
【００２１】
また、図２に示すように、ディジタルチューナ２に接続された第１ＴＳ分離部３Ａと第２ＴＳ分離部３Ｂとを備える構成を採用してもよい。通常の受信映像表示においては、第１ＴＳ分離部３Ａを用いる。第１ＴＳ分離部３Ａは、映像パケット等の取得に好適となる設定がなされる。一方、ＥＰＧボタンの押下を検出したときには、ＳＩ処理部６は第２ＴＳ分離部３Ｂにて分離されたＳＩを受け取る。第２ＴＳ分離部３Ｂはフィルタリング資源の全て或いは殆どをＳＩ取得のために用いる。
【００２２】
図１に示したごとく一つのＴＳ分離部３を備える構成では、ユーザ視聴チャンネルの選局状態では、ＴＳ分離部３を映像パケット等の取得に好適となるフィルタ資源割り当て状態に切り替え、ＳＩ取得のためのチャンネル選局状態では、ＴＳ分離部３をＳＩパケット取得に好適となるフィルタ資源割り当て状態に切り替えることとなり、これではＳＩ取得に多少なりとも時間がかかる。これに対し、二つのＴＳ分離部３Ａ・３Ｂを備え、それぞれのフィルタ資源がその目的において適切に設定されている構成であれば、ＳＩ取得に要する時間を短縮することが可能となる。
【００２３】
なお、この実施形態では、ＥＰＧのためのＳＩ取得は、ＥＰＧボタンが押下されたときの他、電源ＯＮ時、電源ＯＦＦ時、所定期間毎等、所定のタイミングにおいても行うことができるようにしている。
【図面の簡単な説明】
【００２４】
【図１】この発明の実施形態のディジタル放送受信装置を示したブロック図である。
【図２】この発明の実施形態のディジタル放送受信装置の他の例を示したブロック図である。
【図３】従来のディジタル放送受信装置を示したブロック図である。
【符号の説明】
【００２５】
１    アンテナ
２    ディジタルチューナ
３    ＴＳ分離部
３Ａ  第１ＴＳ分離部
３Ｂ  第２ＴＳ分離部
６    ＳＩ処理部
８    制御部（ＣＰＵ）
１０  映像記憶用メモリ
【図１】
2005286688.tif 000003
【図２】
2005286688.tif 000004
【図３】
2005286688.tif 000005